(57)【要約】【課題】撓み機能を有する撓み部を設ける構成とした容器立ては、容器を、手で把持することなく、確実に立設・保持できるが、飲料容器などを手に取る際に、撓み部と容器の摩擦が大きいため、容器立てから飲料容器等を取り出すことが容易でなく使用が煩わしかった。【解決手段】本発明の容器保持具は、台座と、前記台座の上に設置された筒体と、前記筒体の内周に形成された複数の弾性突起とを備えることを特徴とする。【選択図】図１
2020186039.tif 000002
【特許請求の範囲】
【請求項１】
台座と、前記台座の上に設けられた筒体と、前記筒体の内周に形成された複数の弾性体とを備え、前記弾性体は、対象となる容器と接することで保持可能な容器保持具。
【請求項２】
前記筒体は蛇腹状となっており、伸縮可能である請求項１に記載の容器保持具。
【請求項３】
前記蛇腹状の筒体の径は、高さ方向の中央部に向かって、上部下部より小さくなっている、請求項２に記載の容器保持具。
【請求項４】
前記台座は取っ手を備えている、請求項１から３の何れかに記載の容器保持具。
【請求項５】
前記台座は前記筒体と着脱可能になっている請求項１から４の何れかに記載の容器保持具。
【発明の詳細な説明】
【技術分野】
【０００１】
本発明は、飲料容器等（ペットボトル、コップ、ワイングラス、紙パック飲料容器、水筒、カップ麺等）を保持するホルダー機能、コースター機能を有する、容器保持具に関する。
【背景技術】
【０００２】
これまでのコップ、グラス等の容器立ては、例えば特許文献１のように、ベースの表面より立設した側壁となり得る枠体と、枠体の内側に設けた、ベースの中心方向及び／又は放射方向に向って撓み機能を有する撓み部を設ける構成とした容器立てが提案されている。
【先行技術文献】
【特許文献】
【０００３】
【特許文献１】特開２００９−１４９３５７号公報
【発明の概要】
【発明が解決しようとする課題】
【０００４】
撓み機能を有する撓み部を設ける構成とした容器立ては、容器を、手で把持することなく、確実に立設・保持できるが、飲料容器などを手に取る際に、撓み部と容器の摩擦が大きいため、容器立てから飲料容器等を取り出すことが容易でなく使用が煩わしかった。
【課題を解決するための手段】
【０００５】
本発明の容器保持具は、台座と、前記台座の上に設置された筒体と、前記筒体の内周に形成された複数の弾性突起とを備えることを特徴とする。
【発明の効果】
【０００６】
本発明の容器保持具は、これまでの容器立てから飲料容器等を取り出しやすくした。
【図面の簡単な説明】
【０００７】
【図１】図１は、本発明の実施例の容器保持具全体の斜視図
【図２】図２は、本発明の収納部の平面図
【図３】図３は、本発明の実施例の容器保持具全体の正面図
【図４】図４は、本発明の実施例の容器保持具の高さを縮めた状態の図
【図５】図５は、取っ手を取り付けた実施例の図
【図６】図６は、各種飲料容器の例として、湯呑みを収納した状態の図
【図７】図７は、各種飲料容器の例として、ペットボトルを収納した状態の図
【図８】図８は、各種飲料容器の例として、コーヒーカップを収納した状態の図
【図９】図９は、各種飲料容器の例として、ワイングラスを収納した状態の図
【図１０】図１０は、各種飲料容器の例として、四角い紙製飲料パックを収納した状態の図
【図１１】図１１は、各種飲料容器の例として、水筒を収納した状態の図
【図１２】図１２は、各種飲料容器の例として、縦型カップ麺を収納した状態の図
【発明を実施するための形態】
【０００８】
図１において、容器保持具１は、台座２と筒体３、および複数の弾性突起４から構成される収納部５からなり、飲料容器等を保持するものである。
実施例では台座２はシリコンからなり、収納する飲料容器等より大きめに円形板状の底面が平らに構成され、ベッドやソファの上でも安定して載置できるように作られている。台座２の上部には筒体３を介して、上部の飲料容器等を収納する収納部５が構成されている。
【０００９】
収納部５は円形で上縁の円周に複数の弾性突起４が内方に向かって備えられ、複数の弾性突起４の先端が収納部５の中心に飲料容器等を保持する空間６（穴）を有する。
【００１０】
図２は、ホルダー機能を有する容器保持具１の上部に構成される、収納部５を真上から見たもので、筒体２の最上部に周囲から中心に向かって、くし状の撓む素材からなる弾性突起４が複数伸びている。すなわち、弾性突起４は筒体２の上部の収納部５の円周に固定され、弾性突起４の先端は収納部の中央に向かって、複数の弾性突起４が互いに同じ中心を指すよう位置している。中央の空間６は、飲料容器等を収納するための穴であり、飲料容器等の形状に合わせて撓み、飲料容器等を支え安定させる。
【００１１】
また、弾性突起４はくし状なので、飲料容器等の触れる面に対して、弾性突起４のくし状先端は、摩擦が小さく容器の抜き差しが容易にできる。
中心に向かってくし状の突起が複数あるため、ペットボトル、水筒、ワイングラス、コーヒーカップ、哺乳瓶、四角い容器、縦型カップ麺など、にも適しており、容器に触れる面がくし状なので、容器の出し入れのときに、容器保持具１が一緒に持ち上がらない。
【００１２】
さらに、収納する容器等の大きさや形状等に関わらず、収納する容器等の形状等に沿って弾性容器が変形することによって、支えることで、がたつきなく安定して容器を保持することができる。
【００１３】
図３に示すように、容器保持具１の筒体３は、蛇腹構造７になっており、蛇腹は高さ方向の中央一部分の径が、上部下部より小さくなっている。シリコン等の材質で作られていて熱い飲み物にも対応できる。中央部が最も細い径になっているため、中央部の内径に保持できるサイズの容器まで収納できる。容器の高さに応じて、蛇腹の長さを伸長・収縮することで、調整できる。
蛇腹は縦方向に伸縮しかつ縦方向の中央の円周を小さくすることによって高さ調節が容易にでき、飲料容器等が一番安定できる位置に弾性突起部を合わせることができるので、飲料容器底部の円周が小さいコップ等も安定させることができる。
【００１４】
ワイングラスや各種グラスの形状が複雑な形でも、ペットボトルからコーヒーカップなど、いろいろな高さの飲料容器にも、蛇腹で高さを変えることで、一番安定する位置に合わせられる。
ワイングラスや底の形が小さく安定性に欠けるグラス等でも、蛇腹で高さを調節し、最上部のくし状の突起部をグラス等の一番安定する位置に合わせることによって、支えられ不安定な場所でも安定して置くことができる。
【００１５】
蛇腹形状の筒体３と台座２は着脱可能に取り付けられており、内部が汚れた時には、取り外して蛇腹形状の筒体３の内部や台座２を洗うのが容易にでき、清潔に保てる。
また、台座２はある程度重量のある素材にて構成することで、ベッドやソファ、芝生の上などの不安定な場所でも、倒れにくく安定し、飲料容器の抜き差しにも、容器保持具１と飲料容器が一緒に持ち上がることがない。
【００１６】
図４は、コースターの高さを縮めた状態の図を示し、容器の高さに応じて、筒体３の蛇腹の長さを伸長・収縮することで、調整できることを示し、縮めた状態では筒体３の径が異なることから蛇腹が縮むだけでなく、異なる径の部分が重なりより小さくコンパクトになる。蛇腹の収縮は容器に応じた高さ調整だけでなく、最も小さく縮め畳んだ状態では、収納スペースを取らず重ねることが可能であったり、持ち運びがしやすいメリットがある。
【００１７】
図５は、台座２に取っ手８を取り付けた実施例を示し、取っ手（把手）を取り付けることによって、移動するときに片手で容易に保持することができる。
取っ手８を持てる状態を図８−１に示し、図８−２は、取っ手８を台座２の円周に沿って倒れる可動式になっている取っ手８を倒した状態を示す。
容器保持具を複数用いるときなどに、重ねることができ、収納スペースを取らない。
【００１８】
図６から図１２は、各種飲料容器の収納状態の例を示すもので、図６は、湯呑みを収納した状態、図７は、ペットボトルを収納した状態、図８は、コーヒーカップを収納した状態、図９は、ワイングラスを収納した状態、図１０は、四角い紙製飲料パックを収納した状態、
図１１は、水筒を収納した状態、図１２は、縦型カップ麺を収納した状態、をそれぞれ示す。
【００１９】
以上述べたように、飲料容器は、不安定な場所には置けない為、ベッド上やソファなどで、くつろぎながら飲食したいとき、サイドテーブルなどを利用することになり、容器を取ったり置いたりする際、身体を起こしたり、手を伸ばしたりしなくてはならないが、この容器保持具は、自分のすぐ横や、手の届く位置、つまり、ベッド上のマットの上や、ソファの上に、直接置けるので、リラックスしたまま、体勢を変えることなく、飲食・飲料することができる。
例えば、次のような時に適している。
・子供が床の上で遊ぶとき
・入院中ベッドの上で飲料時
・子供、老人、障害者施設
・キャンプ、野外における芝生の上での使用
・オフィス、デスクワーク時
【符号の説明】
【００２０】
１：容器保持具
２：台座
３：筒体
４：弾性突起
５：収納部
６：空間
７：蛇腹構造
８：取っ手
【図１】
2020186039.tif 000003
【図２】
2020186039.tif 000004
【図３】
2020186039.tif 000005
【図４】
2020186039.tif 000006
【図５】
2020186039.tif 000007
【図６】
2020186039.tif 000008
【図７】
2020186039.tif 000009
【図８】
2020186039.tif 000010
【図９】
2020186039.tif 000011
【図１０】
2020186039.tif 000012
【図１１】
2020186039.tif 000013
【図１２】
2020186039.tif 000014